(57)【特許請求の範囲】
【請求項１】
遊技領域に入賞口を備え、該入賞口と連通する球流路に、球検知孔部を遊技球が通過することにより球検知信号を送出する近接スイッチからなる入賞検知スイッチが配設されたパチンコ遊技機において、
前記入賞口から球検知孔部による検知可能領域の直前位置までの球流路に、球検知孔部の直径と略等しい直径または幅員で、球検知孔部の直径より径大な径大球を停留させ、かつ検知可能領域への径大球の進入を阻止する径大球停留部を設けたものであって、
近接スイッチのケース本体の上面に、球検知孔部の入口縁に外接して、幅員を検知孔部の直径と一致させた二条の平行な凸部を一体形成することにより、前記径大球停留部を、この凸部間により形成された溝部によって構成したことを特徴とするパチンコ遊技機。
【発明の詳細な説明】
【技術分野】
【０００１】
本発明は、入賞口と連通する球流路に近接スイッチが配設されたパチンコ遊技機に関する。
【背景技術】
【０００２】
パチンコ遊技機に対して行われる不正行為としては、例えば、磁石を用いて遊技球を入賞口に導く不正行為、パチンコ遊技機を叩いたり揺すったりして振動を与えることで遊技球を入賞口に導く不正行為、遊技盤を覆う前面扉を開放して遊技球を入賞口に直接入賞させる不正行為等が知られている。
【０００３】
このような不正行為に対する不正検知手段として、磁石を検知するセンサを設けたもの（例えば、特許文献１参照）、振動を検知するセンサを設けたもの（例えば、特許文献２参照）、前面扉の開放を検知する扉開閉センサを設けたもの（例えば、特許文献３参照）等が案出されている。
【先行技術文献】
【特許文献】
【０００４】
【特許文献１】特開２００２−１８６７６６号公報
【特許文献２】特開２００５−４６５２２号公報
【特許文献３】特開平９−２７６５１１号公報
【発明の概要】
【発明が解決しようとする課題】
【０００５】
ところで、入賞口に入賞した遊技球の検知手段としては、入賞口と連通する球流路に配設されて、球検知孔部を遊技球が通過することにより球検知信号を送出する高周波誘導型の近接スイッチが多用されているが、近年、この近接スイッチを誤作動させる手口の不正行為が行われている。これは、近接スイッチの球検知孔部を通過可能な通常の遊技球より径大な径大球を発射して、入賞口に入賞させ、図６（Ａ）に示すように、近接スイッチａの球検知孔部ｂに径大球ｃを詰まらせた状態とした後、該径大球ｃに向けて電波を発射することにより、近接スイッチａを誤作動させて球検知信号を送出させるものである。
【０００６】
ここで、高周波誘導型の近接スイッチａは、図６（Ｂ）に示すように、球検知孔部ｂの内周壁を囲繞するようにしてコイルｅが配設されており、該コイルｅに流れる電流によって磁束ｆが形成されている。これにより、球検知孔部ｂを金属製の遊技球が通過するとインピーダンスが変化するため、そのインピーダンスの変化により、金属体を検知するようになっている。従って、その原理上、電気的なノイズに弱く、球検知孔部ｂに詰まった径大球ｃが電波を受けることにより発生する電気的なノイズが磁束ｆを乱し、その乱れがインピーダンスを変化させることによって、遊技球を検知したものとして球検知信号を送出する誤作動を近接スイッチａに生じさせることとなるのである。
【０００７】
本発明は、かかる径大球を用いた不正行為を防止し得るパチンコ遊技機を提供することを目的とするものである。
【課題を解決するための手段】
【０００８】
本発明は、遊技領域に入賞口を備え、該入賞口と連通する球流路に、球検知孔部を遊技球が通過することにより球検知信号を送出する近接スイッチからなる入賞検知スイッチが配設されたパチンコ遊技機において、前記入賞口から球検知孔部による検知可能領域の直前位置までの球流路に、球検知孔部の直径と略等しい直径または幅員で、球検知孔部の直径より径大な径大球を停留させ、かつ検知可能領域への径大球の進入を阻止する径大球停留部を設けたことを特徴とするパチンコ遊技機である。
【０００９】
ここで、近接スイッチとしては、球検知孔部の内周壁の外側に、該内周壁を囲繞するコイルが配設された高周波誘導型の近接スイッチが好適に用いられ得る。また、近接スイッチの球検知孔部は、入賞口と連通する球流路の一部を構成するものである。
【００１０】
上記パチンコ遊技機にあって、径大球停留部が、球検知孔部の上部を嵩上げして設けられている構成が提案される。
【発明の効果】
【００１１】
本発明は、上述したように、入賞口から球検知孔部による検知可能領域の直前位置までの球流路に、球検知孔部の直径と略等しい直径または幅員で、球検知孔部の直径より径大な径大球を停留させ、かつ検知可能領域への径大球の進入を阻止する径大球停留部を設けたので、不正行為者が、通常の遊技球より径大な径大球を入賞口に入賞させると、該径大球が径大球停留部に停留されて、球検知孔部による検知可能領域に到達しないため、不正行為者が発射する電波によって近接スイッチが球検知信号を送出する誤作動を防止することができる。
【００１２】
また、前記径大球停留部が、球検知孔部の上部を嵩上げして設けられている構成にあっては、近接スイッチの外郭を構成するケース本体の球検知孔部分の厚みを嵩高に形成することにより径大球停留部とすることができるため、径大球停留部を極めて容易に設けることができる。
【図面の簡単な説明】
【００１３】
【図１】本発明の実施例にかかるパチンコ遊技機の遊技盤１を示す正面図である。
【図２】同上の実施例の可変入賞装置１３の拡大正面図である。
【図３】近接スイッチ１７の配設態様を示す要部の断面図である。
【図４】（Ａ）は近接スイッチ１７の外観斜視図、（Ｂ）は近接スイッチ１７の断面図、（Ｃ）は球検知孔部１９の検知可能領域Ｌを示す説明図である。
【図５】変形実施例にかかる近接スイッチ１７の外観斜視図である。
【図６】（Ａ）は従来構成の近接スイッチａの球検知孔部ｂに詰まらせた径大球ｃに向けて電波を発射する不正行為を示す説明図、（Ｂ）は従来構成の近接スイッチａの断面図である。
【発明を実施するための形態】
【００１４】
以下に、本発明の一実施例を、図１〜図４に基づいて説明する。
【００１５】
図１に示すように、パチンコ遊技機の遊技盤１には、その前面側に略円形の誘導レール３で囲繞された遊技領域４が設けられており、該遊技領域４の略中央にセンターケース５が配設されている。このセンターケース５には、液晶表示器からなる図柄表示装置６が組み付けられており、該図柄表示装置６の表示画面７には、三つの特別図柄Ａ，Ｂ，Ｃが変動表示される。また、表示画面７の一部領域には、普通図柄表示部９が設けられており、該普通図柄表示部９には右図柄と左図柄とからなる二つの普通図柄Ｅ1 ，Ｅ2 が変動表示される。この普通図柄Ｅ1 ，Ｅ2 は、「７」と「−」の二種類の図柄で構成されており、右図柄及び左図柄がともに「７」で停止する当り図柄態様が確定表示された場合には、後述する可変入賞装置１３の可動翼片１５，１５が開閉駆動される。尚、前記図柄表示装置６としてはＣＲＴ表示器等を用いることも可能である。
【００１６】
センターケース５の左右側方には、普通図柄始動ゲート（普通図柄始動領域）１２，１２が配設されており、遊技球の通過により、各普通図柄始動ゲート１２が具備する普通図柄始動スイッチ（図示省略）から遊技球検知信号が発生すると、前記普通図柄表示部９の普通図柄Ｅ1 ，Ｅ2 が変動し、所定時間経過後に停止して種々の組み合わせの図柄態様が表示される。
【００１７】
センターケース５の下方には、左右一対の可動翼片１５，１５を備えた可変入賞装置１３が配設されている。可動翼片１５，１５は、図２に示すように、基部が夫々支軸１０，１０によって回動可能に軸支されており、図２（Ａ）に示すように入賞口１４の左右両側で、一個の遊技球が上方から入賞可能な間隔で起立する起立位置と、図２（Ｂ）に示すように前記起立位置から逆ハ字形に外側方に拡開して遊技球の入賞を容易とする傾動位置とに変換駆動されることにより、入賞口１４の開口度が変化するようになっている。
【００１８】
そして、前記普通図柄表示部９の表示結果が所定の当り図柄態様の場合には、普通電動役物ソレノイド２７の駆動を介して可動翼片１５，１５が所定時間（約 0.2秒間）外側方に拡開されて、入賞口１４に遊技球が入り易い状態となる。該入賞口１４は、前記図柄表示装置６の特別図柄Ａ，Ｂ，Ｃを変動させる契機となる図柄始動口となっており、該入賞口１４と連通する球流路１６（図３参照）に配設された近接スイッチ１７による遊技球の入賞検知に伴って、前記図柄表示装置６の表示画面７に特別図柄Ａ，Ｂ，Ｃを変動表示する図柄生成行程が実行される。尚、この近接スイッチ１７は本発明の要部にかかるものであり、詳しくは後述する。
【００１９】
可変入賞装置１３の下方には変動入賞装置２３が配設されている。該変動入賞装置２３は、横長矩形状の開閉扉２２を有する大入賞口２１を備えており、開閉扉２２がソレノイド（図示省略）等の駆動源によって前後方向に開閉駆動されることによって、大入賞口２１が開放状態と閉鎖状態とに変換されるようになっている。
【００２０】
そして、前記図柄表示装置６の表示画面７に変動表示される特別図柄Ａ，Ｂ，Ｃが、所定の組み合わせの当り図柄態様で確定表示された場合に大当たりとしての特別遊技作動が実行される。この特別遊技作動は、開閉扉２２が前方に傾倒して開き、その開放状態で開閉扉２２の上面の案内作用を介して、大入賞口２１内へ遊技球を案内するとともに、所定開放時間（例えば30秒間）の満了、またはその所定開放時間中における所定個数（例えば 9個）の遊技球の入賞により開閉扉２２が起立して大入賞口２１が閉鎖される遊技作動を、大入賞口２１の内部に設けられた特定領域の球通過を条件として所定制限回数（例えば14回）継続するものであって、この特別遊技作動の実行によって多量の遊技球が入賞し、遊技者に所定の利益が供与される。
【００２１】
また、遊技領域４には、複数の一般入賞口２４が配設されており、その内部に具備する入賞検知スイッチとしての近接スイッチ（図示省略）による遊技球の入賞検知に伴って所定数の賞球が払い出される。
【００２２】
尚、パチンコ遊技機は、各種遊技作動を実行する複数の副制御基板（図示省略）と、該副制御基板を統括的に制御するマイクロコンピュータを具備した主制御基板（図示省略）とからなる遊技制御手段を備えており、該遊技制御手段によって種々の遊技作動が制御実行されるようになっている。
【００２３】
次に、本発明の要部について説明する。
前記入賞口１４の内奥部は、図３に示すように、入賞した遊技球が流下する球流路１６と連通しており、該球流路１６に高周波誘導型の近接スイッチ１７からなる入賞検知スイッチが略水平状に配設されている。該近接スイッチ１７は、図４（Ａ）に示すように、その外郭を構成する合成樹脂からなる矩形状のケース本体１８を備えており、該ケース本体１８の長手方向の一端寄り位置に表裏面を貫通する球検知孔部１９が形成されている。そして、該球検知孔部１９が遊技球の流下する球流路１６の一部となっている。該球検知孔部１９の内周壁２０の外側には、図４（Ｂ）に示すように、その下部に位置させて内周壁２０を囲繞するようにコイル２５が配設されており、ケース本体１８の長手方向の他端寄り位置には、該コイル２５と接続されたスイッチ回路基板（図示省略）が収納されている。尚、該スイッチ回路基板は主制御基板と電気的に接続されており、球検知孔部１９を遊技球が通過することにより送出される球検知信号が主制御基板に入力される。
【００２４】
前記入賞口１４から球検知孔部１９による検知可能領域の直前位置までの球流路１６には、球検知孔部１９の直径と略等しい直径または幅員で径大球停留部２６が設けられている。本実施例では、ケース本体１８の上下方向の厚みを、図６（Ｂ）に示す従来構成の近接スイッチａの厚みに比して厚く形成することによって、球検知孔部１９の上部が嵩上げされており、これによって、ケース本体１８の上面に球検知孔部１９の直径と略等しい直径の孔部からなる径大球停留部２６が設けられている。ここで、球検知孔部１９及び径大球停留部２６の直径は11.4±0.1ｍｍで形成されており、直径11±0.05ｍｍで形成される通常の遊技球Ｘ1 （図４（Ｃ）参照）は通過可能となっている。一方、球検知孔部１９及び径大球停留部２６の直径11.4±0.1ｍｍを超える通常の遊技球より径大な径大球Ｘ2 （図４（Ｂ）参照）は通過不能であり、径大球停留部２６に停留されることとなる。また、通過する遊技球Ｘ1 を球検知孔部１９内で検知可能な領域は、図４（Ｃ）に示す検知可能領域Ｌとなっており、該検知可能領域Ｌに径大球Ｘ2 が上方から進入しない高さ位置に径大球停留部２６が設けられている。
【００２５】
かかる構成にあって、不正行為者が発射した通常の遊技球より径大な径大球Ｘ2 が入賞口１４に入賞すると、該径大球Ｘ2 は球流路１６を流下して該球流路１６に設けられた近接スイッチ１７の径大球停留部２６に停留される。これにより、該径大球Ｘ2 が球検知孔部１９による検知可能領域Ｌに到達しないため、不正行為者が発射する電波によって近接スイッチ１７が球検知信号を送出する誤作動を防止することができる。
【００２６】
また、近接スイッチ１７の外郭を構成するケース本体１８の、少なくとも球検知孔部１９部分を嵩上げすることにより径大球停留部２６を設けたので、球流路１６の他の部分の構成を何ら変更することなく径大球停留部２６を極めて容易に設けることができる。
【００２７】
尚、上記実施例にあっては、径大球停留部２６を、球検知孔部１９の直径と略等しい直径の孔部としているが、図５に示す変形実施例のように、球検知孔部１９の直径と略等しい幅員の溝部２８によって構成することも可能である。また、このように近接スイッチ１７のケース本体１８に径大球停留部２６を一体形成する構成に代えて、入賞口１４から近接スイッチ１７に至る球流路１６内に、丸孔または角孔からなる径大球停留部２６を設けることも可能である。
【００２８】
また、近接スイッチ１７からなる入賞検知スイッチが配設された球流路１６と連通する入賞口１４として、左右一対の可動翼片１５，１５が、起立位置と、該起立位置から逆ハ字形に外側方に拡開して遊技球の入賞を容易とする傾動位置とに変換駆動される可変入賞装置１３について説明したが、入賞口１４はこれ以外に、横長矩形状の開閉扉２２が前後方向に開閉駆動される変動入賞装置２３の大入賞口２１や、固定的な開口部を備えた一般入賞口２４であってもよい。
【符号の説明】
【００２９】
４  遊技領域
１４  入賞口
１６  球流路
１７  近接スイッチ（入賞検知スイッチ）
１９  球検知孔部
２６  径大球停留部
Ｌ  検知可能領域
Ｘ2 径大球
【図１】
0005391181.tif 000002
【図２】
0005391181.tif 000003
【図３】
0005391181.tif 000004
【図４】
0005391181.tif 000005
【図５】
0005391181.tif 000006
【図６】
0005391181.tif 000007